(57)【要約】【課題】液体の入れ間違いが起こりにくい、手作業による液体の分注に使用される分注支援スタンドを提供する。【解決手段】分注支援スタンド１０は、液体と接触するノズル部５２が着脱可能なピペット５０を用いて液体を手動で分注する際に使用されるものであり、分注先の容器３２と相関する位置に、液体を分注した後の使用済みのノズル部５２が廃棄される廃棄部４２を備えている。【選択図】      図１
2008096304.tif 000002
【特許請求の範囲】
【請求項１】
液体と接触するノズル部が着脱可能なピペットを用いて液体を手動で分注する際に使用される分注支援スタンドであり、分注先の容器と相関する位置に、液体を分注した後の使用済みのノズル部が廃棄される廃棄部を備えていることを特徴とする分注支援スタンド。
【請求項２】
前記容器を複数収容し得る検査装置用の液体ラックを設置可能であることを特徴とする請求項１に記載の分注支援スタンド。
【請求項３】
複数の液体収容部を有する液体容器を設置可能であり、分注元の液体収容部と分注先の容器との対応関係を示す視認可能なマークを有していることを特徴とする請求項２に記載の分注支援スタンド。
【請求項４】
前記廃棄部を複数有する廃棄ラックを設置可能であり、液体ラックと廃棄ラックとを一緒にスライド移動可能であることを特徴とする請求項２に記載の分注支援スタンド。
【請求項５】
複数の容器を収容し得る検査装置用の液体ラックを検査装置に移載する際に使用される移載トレイであり、検査装置のサンプル搭載部に移載される液体ラックの間隔で、液体ラックを積載可能であることを特徴とする移載トレイ。
【請求項６】
積載した液体ラックをスライド移動させることにより、検査装置のサンプル搭載部に移載することを特徴とする請求項５に記載の移載トレイ。
【請求項７】
液体と接触するノズル部が着脱可能なピペットを用いて液体を手動で分注する分注方法であり、分注先の容器と相関する位置にノズル部が廃棄される廃棄部を配置し、液体を分注した後の使用済みのノズル部を分注した容器と相関する位置の廃棄部に廃棄することを特徴とする分注方法。
【請求項８】
液体と接触するノズル部が着脱可能なピペットを用いて液体を手動で分注する際に使用される分注支援スタンドであり、
複数の液体収容部を有する液体容器を設置可能な容器設置部と、
複数の容器を収容し得る液体ラックと、
使用済みのノズル部が廃棄される複数の廃棄部を有する廃棄ラックとを設置可能なラック設置部と備えており、
前記液体ラックと前記廃棄ラックが前記ラック設置部に設置されたとき、前記廃棄部はそれぞれ前記容器と相関する位置に位置することを特徴とする分注支援スタンド。
【請求項９】
前記液体収容部は一直線上に並んでおり、前記容器は一直線上に並んで前記液体ラックに収容され、前記液体容器と前記液体ラックは、前記液体収容部が並ぶ直線と前記容器が並ぶ直線とが互いに平行になるように、それぞれ前記容器設置部と前記ラック設置部に設置され、前記ラック設置部は前記容器設置部に対して前記液体収容部が並ぶ直線および前記容器が並ぶ直線と平行にスライド移動可能である請求項８に記載の分注支援スタンド。
【請求項１０】
前記容器設置部は、前記液体収容部と前記容器との対応関係を示す視認可能なマークを有している請求項９に記載の分注支援スタンド。
【発明の詳細な説明】
【技術分野】
【０００１】
本発明は、手作業による液体の分注および検査装置への液体の移載のための治具および方法に関する。
【背景技術】
【０００２】
従来、検査に用いる血液、血漿、血清等の液体は、医療機関等において採取され、試験管等により構成される液体容器に収容されて検査機関に搬送される。臨床検査などの検査装置を用いた測定を行う際、検査する機関や項目よっては検査装置用の容器に液体を移し替える事がある。この場合、確実に液体を所定の容器に分注し、測定する必要がある。例えば特開２００５−１７１７７号公報や特開２００４−９３５２０号公報では、ＩＣタグを用いて、液体識別番号の写し間違いや液体の取り違えを回避している。
【特許文献１】特開２００５−１７１７７号公報
【特許文献２】特開２００４−９３５２０号公報
【発明の開示】
【発明が解決しようとする課題】
【０００３】
このような液体の分注に関する工夫は主に装置を用いている。しかし、分注機能のない検査装置への液体の準備には、手作業による液体の分注操作と、分注した液体の検査装置への移載を行なうこととなる。その際、液体を目的以外の容器に入れ間違えたり、容器を転倒させたりといった、過失による事故を引き起こす危険性がある。
【０００４】
本発明は、この様な実状を考慮して成されたものであり、その目的は、過失による事故が起こりにくい、手作業による液体の分注および検査装置への液体の移載のための治具および方法を提供することである。
【課題を解決するための手段】
【０００５】
本発明は、一側面においては、液体と接触するノズル部が着脱可能なピペットを用いて液体を手動で分注する際に使用される分注支援スタンドである。
【０００６】
本発明による分注支援スタンドは、分注先の容器と相関する位置に、液体を分注した後の使用済みのノズル部が廃棄される廃棄部を備えていることを特徴とする。
【０００７】
本発明による別の分注支援スタンドは、複数の液体収容部を有する液体容器を設置可能な容器設置部と、複数の容器を収容し得る液体ラックと、使用済みのノズル部が廃棄される複数の廃棄部を有する廃棄ラックとを設置可能なラック設置部と備えており、前記液体ラックと前記廃棄ラックが前記ラック設置部に設置されたとき、前記廃棄部はそれぞれ前記容器と相関する位置に位置することを特徴とする。
【０００８】
本発明は、別の側面においては、複数の容器を収容し得る検査装置用の液体ラックを検査装置に移載する際に使用される移載トレイであり、検査装置のサンプル搭載部に移載される液体ラックの間隔で、液体ラックを積載可能であることを特徴とする。
【０００９】
本発明は、また別の側面においては、液体と接触するノズル部が着脱可能なピペットを用いて液体を手動で分注する分注方法であり、分注先の容器と相関する位置にノズル部が廃棄される廃棄部を配置し、液体を分注した後の使用済みのノズル部を分注した容器と相関する位置の廃棄部に廃棄することを特徴とする。
【発明の効果】
【００１０】
本発明によれば、過失による事故が起こりにくい、手作業による液体の分注および検査装置への液体の移載のための治具および方法が提供される。
【発明を実施するための最良の形態】
【００１１】
以下、図面を参照しながら本発明の実施形態について説明する。
【００１２】
図１は、本発明の一実施形態による分注支援スタンドを示している。図１に示すように、分注支援スタンド１０は、液体容器２０を設置可能な容器設置部１２と、検査装置用の液体ラック３０を設置可能なラック設置部１４とを有している。
【００１３】
液体容器２０は、検体や試薬などの液体を収容し得る複数の液体収容部２２を有している。複数の液体収容部２２は一直線上に並んでいる。液体容器２０は、これに限定されるものではないが、本実施形態では、ＰＣＲ装置において一般に使用されるものであり、８個の液体収容部２２を有している。
【００１４】
液体ラック３０は、液体を収容し得る分注先の複数の容器３２を収容し得る。複数の容器３２は一直線上に並んで液体ラック３０に収容される。液体ラック３０は、これに限定されるものではないが、本実施形態では、検査装置において一般に使用されるものであり、１０個の容器３２を収容し得る。
【００１５】
液体容器２０と液体ラック３０は、液体収容部２２が並ぶ直線と容器３２が並ぶ直線とが互いに平行になるように、それぞれ容器設置部１２とラック設置部１４に設置される。
【００１６】
ＰＣＲ装置において一般に使用される液体容器２０は、通常、樹脂材料で一体に形成されている。これに対して液体ラック３０に収容される容器３２は、それぞれ別体となっている。このため、容器３２は液体収容部２２に比べて大きく、容器３２の配置ピッチは液体収容部２２の配置ピッチに比べて大きい。
【００１７】
液体容器２０の液体収容部２２内の液体はそれぞれ、液体ラック３０に収容された容器３２に、ピペット５０を用いて手作業で分注される。ピペット５０は、液体と接触する先端部すなわちノズル部５２が着脱可能である。ノズル部５２は、各液体収容部２２内の液体の分注のたびに使い捨てされる。
【００１８】
ラック設置部１４はさらに、液体を分注した後の使用済みのノズル部５２が廃棄される複数の廃棄部４２を有する廃棄ラック４０を設置可能である。液体ラック３０と廃棄ラック４０がラック設置部１４に設置された状態において、廃棄部４２はそれぞれ容器３２と相関する位置に位置する。本実施形態では、廃棄部４２はそれぞれ容器３２の真横近くに、すなわち複数の容器３２が並ぶ直線に直交する直線上で容器３２から近い位置に位置する。このため、廃棄ラック４０は液体ラック３０とほぼ同じ大きさで、液体収容部２２と同数の廃棄部４２を有し、廃棄部４２は液体収容部２２と同様に一直線上に並んでいる。
【００１９】
分注作業において、液体容器２０の液体収容部２２内の液体は、それぞれ上から順番に、液体ラック３０に収容された容器３２にピペット５０を用いて分注する。各分注において、液体を分注した後、使用済みのノズル部５２は、分注した容器３２と相関する位置、本実施形態では真横近く、に配置された廃棄部４２に廃棄する。これにより、容器３２に液体が分注済みである否かが、その容器３２に対応する廃棄部４２内のノズル部５２の有無により、視覚的に一目で識別できる。
【００２０】
本実施形態では、液体容器２０は８個の液体収容部２２を有し、液体ラック３０は１０個の容器３２を収容し得る。従って、一つの液体容器２０について分注を終了した状態では、すべての液体収容部２２に液体が収容されているものとして、液体ラック３０の２個の容器３２が未使用のままである。またすべての液体収容部２２に液体が収容されていない場合には、さらに多くの容器３２が未使用のままである。検査を経済的に行なうため、好ましくは、液体ラック３０の未使用の容器３２を次の液体容器２０に対して使用するとよい。
【００２１】
図２は、液体ラックの未使用の容器に次の液体ラックの液体容器内の液体を分注する使用形態を示している。このような使用形態においては、分注元の液体容器２０に対して使用される未使用の容器３２は図１と同じ位置関係に配置されるとよい。すなわち、液体収容部２２に対する未使用の容器３２の相対位置が図１と同様になるように、液体ラック３０が配置されるとよい。
【００２２】
このため、ラック設置部１４は容器設置部１２に対して、容器設置部１２に設置された液体容器２０の液体収容部２２が並ぶ直線と平行に、あるいはラック設置部１４に設置された液体ラック３０の容器３２が並ぶ直線と平行に、スライド移動可能である。図２に示すように、先の液体容器２０に対する分注作業において使用されなかった２個の容器３２を、次の液体容器２０に対する分注作業においては、図１に示した分注作業における最初の２個の容器３２と同じ位置に配置する。これにより、分注元の液体収容部２２と分注先の容器３２との位置関係は、図１に示した分注作業と同じになる。このため、分注先の容器３２が視覚的に容易に分かるようになり、液体収容部２２と容器３２の位置ずれに伴う分注ミスを効果的に回避することができる。
【００２３】
分注支援スタンド１０は、より好ましくは、分注元の液体収容部２２と分注先の容器３２との対応関係を示す視認可能なマークを有しているとよい。この視認可能なマークは、例えば、分注元の液体収容部２２と分注先の容器３２の間に延びる容器設置部１２に描かれた線１６であってよい。さらに線１６は、好ましくは、色分けされているとよい。視認可能なマークは、線１６に限定されるものではなく、任意のパターンであってよい。これにより、液体収容部２２と容器３２の配置ピッチが相違していても、分注先の容器３２が視覚的に容易に識別できるようになるため、分注ミスをさらに低減することができる。
【００２４】
容器３２への分注が完了した液体ラック３０は、その後、検査装置に移載される。図３は、液体ラックが移載される検査装置を示している。検査装置７０は、複数の液体ラック３０が搭載されるサンプル搭載部７２を有している。サンプル搭載部７２は、複数の液体ラック３０が向きをそろえて搭載されるように、互いに平行に延びる複数の仕切り板７４を有している。仕切り板７４は一定のピッチで配置されている。仕切り板７４の間隔は、液体ラック３０の転倒を防止するため、液体ラック３０の幅よりもわずかに広い。
【００２５】
液体ラック３０の移載作業は、通常、検査装置７０のサンプル搭載部７２のフタ７６を上方に開け、液体ラック３０をひとつずつ手作業によってサンプル搭載部７２の仕切り板７４の間に立てていくことにより行なわれる。移載する液体ラック３０の数が多い場合、このような手作業による検査装置７０への移載は、手間がかかるうえ、ラックの転倒などの過失事故を引き起こす危険性もある。
【００２６】
図４は、分注済みの液体ラックを検査装置に移載する際に使用する移載トレイを示している。図４に示すように、移載トレイ６０は、複数の液体ラック３０を向きをそろえて積載するため、互いに平行に延びる２枚の側板６２と少なくとも１枚の仕切り板６４とを有している。仕切り板６４は２枚の側板６２の間に位置している。側板６２と仕切り板６４は共に、液体ラック３０の高さ以下の高さを有している。
【００２７】
移載トレイ６０は、側板６２と仕切り板６４の間に、仕切り板６４の枚数が２以上である場合にはさらに仕切り板６４の相互間に、複数の液体ラック３０を収容し得る。側板６２と仕切り板６４の間隔および仕切り板６４同士の間隔は、サンプル搭載部７２の仕切り板７４の間隔に等しい。このため、側板６２と仕切り板６４の間隔および仕切り板６４同士の間隔は、液体ラック３０の幅よりもわずかに広く、液体ラック３０の転倒防止に好適である。また、移載トレイ６０に積載された液体ラック３０の間隔は、検査装置７０のサンプル搭載部７２に移載された液体ラック３０の間隔に等しい。つまり、移載トレイ６０は、検査装置７０のサンプル搭載部７２に移載される液体ラック３０の間隔で、液体ラック３０を積載可能である。
【００２８】
また、移載トレイ６０から検査装置７０への液体ラック３０の移載を容易にするため、液体ラック３０が移載トレイ６０に対してスライド移動され得るように、移載トレイ６０の四方のうち一方が開放されている。
【００２９】
図５は、図４の移載トレイを使用して液体ラックを検査装置に移載する様子を示している。液体ラック３０を検査装置７０に移載する際は、まず、図５に示すように、移載トレイ６０の四方のうちの開放された一方を検査装置７０の奥に向け、移載トレイ６０の側板６２と仕切り板６４をサンプル搭載部７２の仕切り板７４にそろえて、サンプル搭載部７２の上方に移載トレイ６０を配置する。続いて、液体ラック３０をスライド移動させて押し出すことにより、移載トレイ６０に積載された液体ラック３０を一挙に検査装置７０のサンプル搭載部７２に移載する。または、移載トレイ６０を引き抜くことにより、液体ラック３０をサンプル搭載部７２に移載してもよい。これにより、検査装置７０への移載に伴う転倒や誤搭載といった過失による事故が良好に防止される。
【００３０】
移載トレイ６０に積載可能な液体ラック３０の本数は、これに限定されないが、取り扱い易さから例えば５〜１０本であるとよい。
【００３１】
これまで、図面を参照しながら本発明の実施形態を述べたが、本発明は、これらの実施形態に限定されるものではなく、その要旨を逸脱しない範囲において様々な変形や変更が施されてもよい。
【図面の簡単な説明】
【００３２】
【図１】本発明の一実施形態による分注支援スタンドを示している。
【図２】液体ラックの未使用の容器に次の液体ラックの液体容器内の液体を分注する使用形態を示している。
【図３】液体ラックを移載する検査装置を示している。
【図４】分注済みの液体ラックを検査装置に移載する際に使用する移載トレイを示している。
【図５】図４の移載トレイを使用して液体ラックを検査装置に移載する様子を示している。
【符号の説明】
【００３３】
１０…分注支援スタンド、１２…容器設置部、１４…ラック設置部、１６…線、２０…液体容器、２２…液体収容部、３０…液体ラック、３２…容器、４０…廃棄ラック、４２…廃棄部、５０…ピペット、５２…ノズル部、６０…移載トレイ、６２…側板、６４…仕切り板、７０…検査装置、７２…サンプル搭載部、７４…仕切り板、７６…フタ。
【図１】
2008096304.tif 000003
【図２】
2008096304.tif 000004
【図３】
2008096304.tif 000005
【図４】
2008096304.tif 000006
【図５】
2008096304.tif 000007